(57)【要約】【課題】  ネットワーク接続された電子機器のリモコンによる操作を簡単にするネットワークシステムを提供することを目的とするものである。【解決手段】  デジタル情報を伝送可能な複数の電子機器がネットワークにより相互に接続され、それら電子機器をワイヤレス操作手段にて操作可能とするネットワークシステムに於いて、前記電子機器は前記ワイヤレス操作手段からの操作信号を受信するワイヤレス信号受信手段と、前記ワイヤレス操作手段からの操作指示信号が前記ネットワーク経由できたものか前記ワイヤレス信号受信手段からきたものか判別する判別手段と、前記操作指示信号が前記ワイヤレス信号受信手段からきた場合と前記ネットワーク経由できた場合とで表示の形態を可変設定する表示手段とを具備した事を特徴とするネットワークシステム等、を提供する。【選択図】  図１
2006108914.tif 000002
【特許請求の範囲】
【請求項１】
デジタル情報を伝送可能な複数の電子機器がネットワークにより相互に接続されてなるネットワークシステムにおいて、
ワイヤレス操作手段は、
前記ワイヤレス操作手段自身のＩＤ情報と被制御機器のＩＤ情報とを前記被制御機器を制御する為の指示信号と共に送出する手段を具備し、
第１の電子機器は、
前記ワイヤレス操作手段からの操作信号を受けて前記ネットワーク経由で前記ワイヤレス操作手段が指示した所望の第２電子機器へと前記操作信号を送出する信号変換手段と、
前記第２の電子機器が前記ネットワークを介して受信した信号を受けて作成した前記第２の電子機器からの表示情報を表示する表示手段とを具備し、
前記第２の電子機器は、
前記ワイヤレス操作手段からの操作信号を受信するワイヤレス信号受信手段と、
前記ワイヤレス操作手段からの操作指示信号が前記ネットワーク経由できたものか前記ワイヤレス信号受信手段からきたものか判別する判別手段と、
表示手段と、
前記操作指示信号が前記ワイヤレス信号受信手段からきた時には対応する表示情報を前記表示手段に表示処理し、前記ネットワーク経由できた時には対応する表示情報を前記第１の電子機器の表示手段に送出し、前記ワイヤレス信号受信手段と前記ネットワーク経由でもきた時には、対応する表示情報を前記表示手段に表示処理すると共に、前記第１の電子機器の表示手段に送出する表示処理手段とを具備することを特徴とするネットワークシステム。
【請求項２】
デジタル情報を伝送可能な複数の電子機器がネットワークにより相互に接続されてなるネットワークシステムにおいて、
ワイヤレス操作手段は、
前記ワイヤレス操作手段自身のＩＤ情報と被制御機器のＩＤ情報を前記被制御機器を制御する為の指示信号と共に送出する手段を具備し、
第１の電子機器は、
前記ワイヤレス操作手段からの操作信号を受けて、前記ネットワーク経由で前記ワイヤレス操作手段が指示した所望の第２電子機器へと前記操作信号を送出する信号変換手段と、
前記第２の電子機器が前記ネットワークを介して受信した信号を受けて作成した前記第２の電子機器からの表示情報を表示する表示手段とを少なくとも具備し、
前記第２の電子機器は、
前記ワイヤレス操作手段からの操作信号を受信するワイヤレス信号受信手段と、
前記ワイヤレス操作手段からの操作指示信号が前記ネットワーク経由できたものか前記ワイヤレス信号受信手段からきた物か判別する判別手段と、
表示手段と、
前記操作指示信号が前記ワイヤレス信号受信手段からきた時には対応する表示情報を前記表示手段に表示処理し、前記ネットワーク経由できた時には対応する表示情報を前記第１の電子機器の表示手段に送出し、前記ワイヤレス信号受信手段と前記ネットワーク経由の両方からきた時には、対応する表示情報を前記表示手段に表示処理すると共に、前記ネットワークを介して前記第１の電子機器に送出する表示処理手段とを具備することを特徴とするネットワークシステム。
【請求項３】
デジタル情報を伝送可能な複数の電子機器がネットワークにより相互に接続され、それら電子機器をワイヤレス操作手段にて操作可能とするネットワークシステムにおいて、
前記電子機器は、
前記ワイヤレス操作手段からの操作信号を受信するワイヤレス信号受信手段と、
前記ワイヤレス操作手段からの操作指示信号が前記ネットワーク経由できたものか前記ワイヤレス信号受信手段からきたものか判別する判別手段と、
前記操作指示信号が前記ワイヤレス信号受信手段からきた場合と前記ネットワーク経由できた場合とで表示の形態を可変設定する表示手段とを具備することを特徴とするネットワークシステム。
【請求項４】
デジタル情報を伝送可能な複数の電子機器がネットワークにより相互に接続され、それら電子機器をワイヤレス操作手段にて操作可能とするネットワークシステムにおける表示方法であって、
前記電子機器が前記ワイヤレス操作手段からの操作信号を受信する工程と、
前記電子機器が前記ネットワークを介して操作信号を受信する工程と、
前記ワイヤレス操作手段からの操作指示信号が前記ネットワーク経由できたものか前記ワイヤレス信号受信手段からきたものか判別する工程と、
前記操作指示信号が前記ワイヤレス信号受信手段からきた場合と前記ネットワーク経由できた場合とで表示の形態を可変設定する工程とを具備することを特徴とするネットワークシステムにおける表示方法。
【請求項５】
請求項４に記載の表示方法をコンピュータに実行させるためのプログラム。
【請求項６】
請求項５に記載のプログラムを記録したコンピュータ読み取り可能な記録媒体。
【発明の詳細な説明】
【技術分野】
【０００１】
本発明は、例えば、ネットワーク接続された機器間で任意の電子機器経由でリモコンコードを所望の電子機器にネットワーク経由で送出し遠隔操作できるシステムに関し、所望の電子機器に直接リモコンコードが入力されても遠隔操作時のモニターとして使っている電子機器の使い勝手を損なわないようにするネットワークシステムに関するものである。
【背景技術】
【０００２】
従来、制御対象機器それぞれに対応してリモコンが備えられており、例えば、テレビジョン受信機（以降テレビと略記）にはテレビ用のリモコンでチャンネル、音量、電源ON/OFF等の制御をし、ビデオテープレコーダー（以降VTR）にはVTR用のリモコンで録画・再生、早送り・巻き戻し制御等を行っていた。それ故被制御機器が多数あるとその数だけリモコンが存在していた。
【０００３】
これを改善すべく1台のリモコンで複数の被制御機器をコントロールする提案がなされている。
【０００４】
例えば特許文献１にはネットワーク接続された各家電製品が自分を制御させる為の情報を集中管理機器のスーパーバイザーユニットに登録させ、リモコンはスーパーバイザーユニットと通信して所望の家電製品の制御情報をもらってリモコンにメニュー表示し、所望の動作指示をスーパーバイザーに送りスーパーバイザーがこれを受けて各家電製品をネットワーク経由で動作制御させている。
【０００５】
同様に、特許文献２には制御機器がネットワークに被制御機器が接続された時、制御機器を制御させる為の情報を制御機器に登録し、リモコンは制御機器に表示される制御対象の機器を選択し、リモコンの各々のキースイッチが選択した被制御機器に対してはどのような指示キーに割り当てられているか表示させ、所望のリモコン操作を行う。あるいは、通信して所望の被制御機器の制御情報をもらってリモコンに具備する表示器に対応するキー情報を表示し、所望の動作指示を制御機器に送りこれを受けて被制御機器をネットワーク経由で動作制御させている。
【０００６】
【特許文献１】特開２０００−０４９８３１号公報
【特許文献２】特開２００１−０３６９７９号公報
【発明の開示】
【発明が解決しようとする課題】
【０００７】
しかしながら、前記従来例（特許文献１）ではスーパーバイザーに向けて指示を与える為、リモコン操作の場所をあまり変えずに所望の各機器を制御するにはいちいち所望の機器専用のリモコンに持ち変えたりする煩わしさが無い反面、所望の機器の近くに行きリモコン操作だけでは出来ない作業が有る場合、例えば所望のビデオテープを探す為、何本かのビデオテープをVTRへ入れ替えして中身をテレビに再生して確認しながら所望のビデオテープの所望の位置から録画を開始させる為の頭だし作業や、デジタルカメラで撮影した画像データやビデオカムコーダの映像を、DVDレコーダあるいはハードディスク搭載録画装置といった記録装置にダビングしたりする為のケーブル結線作業はこれらの被制御機器の近くに行き作業を行ってからリモコン操作となるが、特許文献１ではスーパーバイザーとリモコン間は有線接続で説明されているので、リモコンのケーブル長の範囲内の行動はリモコンを抱えて被制御機器のところへ行ってビデオテープの装着作業等行えるが、普段それだけの長さのケーブルが床に這っていては足を引っ掛けたりして危険であり、ケーブルを足を引っ掛けないように固定したりカバーで隠したりするとリモコンの設置位置が固定されてしまい、その場所に行かないと操作できない不便さが生じる為「有線に限らず、無線や赤外を用いる事が出来る」と開示されているようにワイヤレス方式が好ましい。
【０００８】
しかし、電波方式はデジタルデータを送受できる小型の物ではBluetooth等があるがコスト高を招いてしまう為、赤外方式が安価で小型に出来、これらのコントロールには最適であるが、スーパーバイザーに赤外光を向けてのリモコン操作は被制御機器とスーパーバイザーの設置位置関係によっては向きをいちいち変更しての作業になり煩わしい物になってしまう。
【０００９】
同様に、特許文献２でも主制御機器となる電子機器の表示器もしくは主制御機器に指示を与えるリモコンに具備した表示器に操作画面を表示させ所望の電子機器を遠隔操作している為、リモコン操作の場所をあまり変えずに所望の各機器を制御するにはいちいち所望の機器専用のリモコンに持ち変えたりする煩わしさが無い反面、リモコンのある１つのキースイッチが被制御機器の分だけ多種の機能を持つ事になり、それを覚えるのに大変な労力を必要とするし、覚えてもしばらく使わない被制御機器の機能は忘れてしまい、リモコンのキーに各被制御機器の機能表示がされている訳でもなく、かえってわずらわしいものになっている。
【００１０】
その為、被制御機器に対応したリモコンの各キー機能の表示を、その都度テレビ画面に表示してそれを参考にキー操作させる提案がされているが、テレビ画面で所望の機能のキーの位置を覚え対応する位置のキーを探し押下しなければならず煩わしさは解消していない。
【００１１】
また、リモコンに大きな表示装置を持たせそこに各被制御機器に対応するキー機能情報を受け取り、キーをアイコン表示させる提案もしているが大きな表示器が必要でリモコンに送受信機能が必要になり、コストの高いリモコンになってしまう。さらに所望の機器の近くに行きリモコン操作だけでは出来ない作業が有る場合、例えば所望のビデオテープを探す為、何本かのビデオテープをVTRへ入れ替えして中身をテレビに再生して確認しながら所望のビデオテープの所望の位置から録画を開始させる為の頭だし作業や、デジタルカメラで撮影した画像データやビデオカムコーダの映像を、DVDレコーダあるいはハードディスク搭載録画装置といった記録装置にダビングしたりする為のケーブル結線作業はこれらの被制御機器の近くに行き作業を行ってからテレビの画面が見える所に戻ってテレビ画面のメニュー表示を見ながら次のリモコン操作作業に移行、あるいは前述のように目の前に被制御機器はあるのにリモコンを方向違いの方にある主制御機器に向けて被制御機器の操作情報をやり取りしてリモコンに操作画面を表示し、制御指示を出さねばならず、煩わしい作業は解消していなかった。
【００１２】
そこで、本発明の目的は、例えば、大きなCRT画面だけを近くから見ての画面操作は目に良くなく適宜被制御機器の表示画面を使用しての操作が出来、操作者にやさしいシステムを提供することにある。
【課題を解決するための手段】
【００１３】
本発明のネットワークシステムの第１の態様は、デジタル情報を伝送可能な複数の電子機器がネットワークにより相互に接続されてなるネットワークシステムにおいて、ワイヤレス操作手段は、前記ワイヤレス操作手段自身のＩＤ情報と被制御機器のＩＤ情報とを前記被制御機器を制御する為の指示信号と共に送出する手段を具備し、第１の電子機器は、前記ワイヤレス操作手段からの操作信号を受けて前記ネットワーク経由で前記ワイヤレス操作手段が指示した所望の第２電子機器へと前記操作信号を送出する信号変換手段と、前記第２の電子機器が前記ネットワークを介して受信した信号を受けて作成した前記第２の電子機器からの表示情報を表示する表示手段とを具備し、前記第２の電子機器は、前記ワイヤレス操作手段からの操作信号を受信するワイヤレス信号受信手段と、前記ワイヤレス操作手段からの操作指示信号が前記ネットワーク経由できたものか前記ワイヤレス信号受信手段からきたものか判別する判別手段と、表示手段と、前記操作指示信号が前記ワイヤレス信号受信手段からきた時には対応する表示情報を前記表示手段に表示処理し、前記ネットワーク経由できた時には対応する表示情報を前記第１の電子機器の表示手段に送出し、前記ワイヤレス信号受信手段と前記ネットワーク経由でもきた時には、対応する表示情報を前記表示手段に表示処理すると共に、前記第１の電子機器の表示手段に送出する表示処理手段とを具備することを特徴とする。
【００１４】
本発明のネットワークシステムの第２の態様は、デジタル情報を伝送可能な複数の電子機器がネットワークにより相互に接続されてなるネットワークシステムにおいて、ワイヤレス操作手段は、前記ワイヤレス操作手段自身のＩＤ情報と被制御機器のＩＤ情報を前記被制御機器を制御する為の指示信号と共に送出する手段を具備し、第１の電子機器は、前記ワイヤレス操作手段からの操作信号を受けて、前記ネットワーク経由で前記ワイヤレス操作手段が指示した所望の第２電子機器へと前記操作信号を送出する信号変換手段と、前記第２の電子機器が前記ネットワークを介して受信した信号を受けて作成した前記第２の電子機器からの表示情報を表示する表示手段とを少なくとも具備し、前記第２の電子機器は、前記ワイヤレス操作手段からの操作信号を受信するワイヤレス信号受信手段と、前記ワイヤレス操作手段からの操作指示信号が前記ネットワーク経由できたものか前記ワイヤレス信号受信手段からきた物か判別する判別手段と、表示手段と、前記操作指示信号が前記ワイヤレス信号受信手段からきた時には対応する表示情報を前記表示手段に表示処理し、前記ネットワーク経由できた時には対応する表示情報を前記第１の電子機器の表示手段に送出し、前記ワイヤレス信号受信手段と前記ネットワーク経由の両方からきた時には、対応する表示情報を前記表示手段に表示処理すると共に、前記ネットワークを介して前記第１の電子機器に送出する表示処理手段とを具備することを特徴とする。
【００１５】
本発明のネットワークシステムの第３の態様は、デジタル情報を伝送可能な複数の電子機器がネットワークにより相互に接続され、それら電子機器をワイヤレス操作手段にて操作可能とするネットワークシステムにおいて、前記電子機器は、前記ワイヤレス操作手段からの操作信号を受信するワイヤレス信号受信手段と、前記ワイヤレス操作手段からの操作指示信号が前記ネットワーク経由できたものか前記ワイヤレス信号受信手段からきたものか判別する判別手段と、前記操作指示信号が前記ワイヤレス信号受信手段からきた場合と前記ネットワーク経由できた場合とで表示の形態を可変設定する表示手段とを具備することを特徴とする。
【００１６】
本発明のネットワークシステムにおける表示方法は、デジタル情報を伝送可能な複数の電子機器がネットワークにより相互に接続され、それら電子機器をワイヤレス操作手段にて操作可能とするネットワークシステムにおける表示方法であって、前記電子機器が前記ワイヤレス操作手段からの操作信号を受信する工程と、前記電子機器が前記ネットワークを介して操作信号を受信する工程と、前記ワイヤレス操作手段からの操作指示信号が前記ネットワーク経由できたものか前記ワイヤレス信号受信手段からきたものか判別する工程と、前記操作指示信号が前記ワイヤレス信号受信手段からきた場合と前記ネットワーク経由できた場合とで表示の形態を可変設定する工程とを具備することを特徴とする。
【００１７】
本発明のプログラムは、前記表示方法をコンピュータに実行させることを特徴とする。
【００１８】
本発明のコンピュータ読み取り可能な記録媒体は、前記プログラムを記録したことを特徴とする。
【発明の効果】
【００１９】
本発明によれば、制御機器と被制御機器が離れた所に設置されている場合、被制御機器に近づいての作業を伴わない被制御機器への遠隔操作は制御機器に備わっている表示画面を見ながらリモコンで指示すればよく、被制御機器に近づいての作業の時には被制御機器に備えられた表示画面を見ながらリモコン指示すればよく、制御機器と被制御機器が近くに設置されている場合には、作業姿勢で見やすいほうの画面を利用すれば良い。特に制御機器がテレビの場合、大きなCRT画面だけを近くから見ての画面操作は目に良くなく適宜被制御機器の表示画面を使用しての操作が出来、操作者にやさしいシステムを提供できる。
【００２０】
また、本発明は、１つの被制御機器を１つのリモコンでネットワーク接続された他の機器経由で制御する事を目的とし、電源ＯＮ／ＯＦＦキーや方向指示キー、決定キー等各機器共通に持つような機能は兼用しても一向に差し支えない。
【発明を実施するための最良の形態】
【００２１】
以下、本発明を適用した好適な実施形態を、添付図面を参照しながら詳細に説明する。
【００２２】
本実施形態のネットワークシステムは制御対象機器としてデータ記録装置がネットワークを介してテレビと接続され、データ記録装置用のリモコンで他の機器（テレビ）を介してデータ記録装置を操作出来るようにしたものである。
【００２３】
＜第１の実施形態＞
図１は本発明のネットワークシステムの構成を示した図で１０はデータ記録装置本体、１３はメインコントローラ部で各処理ブロック部を制御して機器全体のデータ処理制御を行う。例えば、ネットワークＩ／Ｆ（インターフェイス）部１１にイーサネット（登録商標）等のＬＡＮ（Local Area Network）ケーブル９０を介して他の機器から送られてきたデータをハードディスク等で構成される記憶装置１６−１に書き込み処理をしたり、記憶装置１６−１に記録されているデータをネットワーク経由で送出したり、メモリカード４０のデータをメモリカードＩ／Ｆ１８を介して取り込み、記憶装置１６−１に書き込み制御をしたりする。尚、各機器間の接続には集線装置(ハブ)を介して各機器を接続するスター型接続で行われれば良く、ハブは図示しない。
【００２４】
USB、IEEE1394等で構成される周辺機器用Ｉ／Ｆ部１２のIEEE1394側にはデジタルビデオカメラ（ＤＶＣ）３０を接続して撮影データを取り込む時には、前記ＤＶＣのＤＶ（Digital Video）フォーマットの映像データをＭＰＥＧ２形式にフォーマット変換処理（メインコントローラ部内の処理ブロックは図示せず）して記憶装置１６に書き込み処理をする。又、USB側にはプリンタ３５が接続され所望の画像データ等の印刷を行う。又、リムーバブルハードディスク装置１６−２も前記記憶装置１６−１の補助記憶装置として記憶装置１６−１と同様な画像データ等を記録する。
【００２５】
１７はリモコンＩ／Ｆ部でリモコン５０からの赤外光信号を受けてメインコントローラ部１３に制御信号を送りメインコントローラ部は対応するデータ処理を行い、表示部１４にリモコン操作用画面を表示させる。
【００２６】
出力切換え手段１５は先述のリモコン操作用画面を表示部１４に出力させるか、後述するテレビ６０に表示させるかを切換える為の物でメインコントローラ１３からの切換え制御出力１９により出力先が制御される。
【００２７】
６０はテレビでテレビ放送電波はアンテナ７０からチューナ６２で所望チャンネルが選択され、ＮＴＳＣ（National Television Standards Committee）デコーダー６３を介し信号入力切換え手段６４に入る。信号入力切替手段６４は表示部（テレビ画面）６５に映し出す映像のソース入力を切換える、例えばリモコン５０からの入力切替指示によりリモコンＩ／Ｆ部６９で信号を受けてメインコントローラ６８は入力切替手段６４に切替指示を出し、テレビアンテナからの映像信号かビデオ入力端子（図示せず）等の外部入力端子からの映像・音声信号７１のどちらを選択するかの切換えを行う。
【００２８】
映像・音声信号処理部６７は入力切替手段６４で選択された映像・音声信号をCRT（Cathode Ray Tube）やLCD（Liquid Crystal Display）等の表示部６５に映像を表示させる為の処理部でＹＶＵ−ＲＧＢ変換処理(図示せず)や後述するメニュー表示等のOSD（On Screen Display)機能ブロック(図示せず）やスピーカー６６に音声を出すための音声復調回路（図示せず）等で構成される。
【００２９】
６１はネットワークＩ／Ｆ部、６９はリモコンＩ／Ｆで、メインコントローラ６８はテレビ６０の全体の動作制御を司り、前述の各機能ブロックの制御を行っている。
【００３０】
図２はリモコン５０の正面図で５０１は液晶表示器等で構成される表示器で後述するリモコン自身や1つ以上の制御対象機器のＩＤを設定したり、所望の被制御機器に動作指示を送る時、選択している機器のＩＤを表示したりする為のリモコン操作補助用表示器で、所謂"日の字セグメント"といわれる電卓等で使われている７セグメントで数値を表示できる物で良い。５０３は被制御機器の電源をＯＮ／ＯＦＦ制御のキースイッチ、５０２は本体設定キーでメーカ名やリモコンを使用するセット機種名等の識別用のカスタムコード（後述）が一致する機器には操作指示が送れるモードにする為のスイッチでこの機能は被制御機器のIDを設定する説明の所で詳細説明する。
【００３１】
５０４、５０８、５０６、５０７は上下、左右方向指示キーでこれらのキー操作によりメニュー画面に表示されるアイコンを選択して所望のアイコンを選択したら、５０５の決定指示キーで指示を与えたりする。
【００３２】
５１０はメニューキーで後述する被制御機器でできる機能を表示させる。５０９はキー操作を１つ前に戻す為のものである。５１１は数値入力のためのキーでチャンネル選択等にも使える。５１２は被制御機器のIDとリモコンIDの表示を切換えるための指示キーである。
【００３３】
５１３はリモコンのファンクションモードを変える指示キーである。５１４はリモコンのＩＤ、および被制御機器のＩＤを設定モードに、そして５１５はその設定を確定する為のキーである。これらのキー詳細説明は後述する。
【００３４】
図３はリモコン５０の通信データコード構成を示した図で、５３０はリーダコード、５３１はカスタムコードでメーカ名やリモコンを使用するセット機種名等の識別用のコードである。５３２は複数の被制御機器の中の1つを対象に制御できる仕組みにする為のコードで、被制御対象機器を特定する為に設定した番号を示す被制御機器IDでこれにより、ネットワーク上にある目的の被制御機器に別の機器を介して動作指示を伝えることができ、あるいは、同じメーカの同じ製品が複数個互いに近傍に設置されていても、それぞれに異なるID番号を手動もしくは自動で割り当てる事により、所望する１つを特定して制御可能とする為の物である。５３３はある一つの被制御機器が複数の同じメーカの同じ機種用のリモコンに対し、その中から所望する特定した１つのリモコンからの制御信号だけを受け付ける事が出来る仕組みにする為に、個々のリモコンに手動もしくは自動で振り分けた番号を示すリモコンID番号である。５３４は５３５のデータの長さを示すデータ長情報、５３５は被制御機器への指示コマンド等のデータ、５３６はチッェクサム、５３７所謂トレーラと言われているＥＮＤコードから成る。
【００３５】
図４はリモコン５０に前述の機器ＩＤを登録する時のキー操作例を示す図で列４−１はファンクションキー（Ｆｎキー）５１３を押下する事により被制御機器ナンバー表示モードを示す表示として「Ｆｎ−Ｈ」が表示器５０１に表示され、列４−２で数値キー郡５１１の「1」キーを押下する事により1番と番号付けされた被制御機器のＩＤが表示される。ここで被制御機器に番号付けする行為は操作者が所望の機器に割り当てれば良く、ＩＤ番号も重複しなければ操作者が任意に割り当てた番号で構わない。此処では、データ記録装置１０に被制御機器ナンバーとして「１」を割り当て、ＩＤ番号として「０８」を割り当てた物として説明を進める。
【００３６】
同様に、列４−３で再び「Ｆｎ」キー５１３を押下し、列４−４で「２」キーを押下する事により、被制御機器の2番と割り当てられた機器（此処ではネットワークカメラ８０として説明を進める）のＩＤを表示するが、割り当てていない時には表示は「Ｈ２−_ _ 」とＩＤがセットされていない事を表示する。列４−５で「ＩＤ」キー５１４を押下すると「Ｈ２−_ _ 」の表示は点滅してＩＤ登録モードになったことを示し、列４−６で数値キー５１１の「１」、「２」と入力し、列４−８で「ＳＥＴ」キー５１５を押下する事によって被制御機器番号２のネットワークカメラ８０のＩＤは１２にセットされる。
【００３７】
図５はリモコン５０のＩＤを登録する時のキー操作例を説明する図で、列５−１で被制御機器ナンバー表示状態を表す「Ｈ２−１２」が表示されている。列５−２で「＊」キー５１２を押下すると、リモコンのＩＤを表示するモードに切り替わり「Ｃ−_ _ 」の表示になる。前述と同じようにＩＤがセットされていないと数値の代わりに"_  _ "が表示される。そこで「ＩＤ」キー５１４を押下すると表示が点滅して（列５−３）ＩＤ番号登録モードになるので、列５−４で数値キー５１１の「０」キー、「１」キーを押下して「ＳＥＴ」キー５１５を押下する（列５−５）。
【００３８】
表示器５０１の表示内容を被制御機器ＩＤを表示させるモードにするには列５−６で「＊」キー５１２を押下する事により表示は「Ｈ２−１２」と、被制御機器番号表示モードになる。
【００３９】
図６はデータ記録装置１０の正面図で１４は液晶表示器からなる表示部、１７は赤外リモコン５０からの信号を受ける受光部、１２−１はデジタルビデオカメラ３０等とケーブル接続でデータ授受の為のIEEE１３９４端子部、１２−２、１２−３はUSB端子、１８はメモリカードスロット部、１０１は電源スイッチ、１０２はリムーバブル記録装置１６−２を装着するスロット部で、１０３はリムーバブルハードディスクを取り出すためのイジェクトボタンである。
【００４０】
図７はデータ記録装置１０のIDと、この機器１０を制御できるリモコンを限定する為のリモコンIDを設定する手順を示した図で、図８のフロー図と共に説明する。
【００４１】
始めにリモコン５０の本体設定キー５０２を押下し、カスタムコードが同じ機器にはリモコンの指示が受け付けられるようにする。それは、あらかじめリモコンの送信データコード(図３参照)のホストID番号５３２、リモコンID番号５３３が９９の時にはカスタムコード５３１が一致する機器はこのリモコン信号を受け付けるように製造時に被制御機器側のプログラムを組み込んでおく(図示せず)事で実現できる。
【００４２】
リモコン５０は前述のように制御対象機器IDとして「０８」を自身のリモコンID番号を「０１」とあらかじめ設定しているが、先の本体設定キー５０２操作により、メニューキー５１０の押下でホストID番号５３２とリモコンID番号はそれぞれ「９９」に変更されて送出され、データ記録装置１０はリモコンＩ／Ｆ部１７で赤外信号を受光する(図８ステップS1)。リモコンI／F部１７は、受光した信号を電気信号に変えメインコントローラ１３に送りホストID番号５３２が判別され、（ステップS2)９９であればカスタムコードが一致するか判別する（ステップS３）。ステップS３で一致していなければ、自分へのリモコン指示で無いと判別して何もせず処理を終る（ステップS10）。ステップS３で一致していればステップS４でデータ部５３５のコマンド指示に従った動作をする。
次にこのリモコンコードがネットワーク（図１ 90）経由で来たのか直接リモコンI/F部１７に入力された赤外線信号かステップS8で判別される。リモコンI／F部１７から来た信号なのでコマンドに対しての応答処理として、液晶表示部用の表示データをメインコントローラ１３から出力し、出力切換え手段を制御信号ライン１９で制御し、図７ａのメニュー表示を表示部１４に出し(ステップS8)処理を終る。
【００４３】
又、ネットワーク経由の場合には、メインコントローラ１３からのビデオ出力が制御信号ライン１９で出力切換え手段１５を制御してビデオ出力がされ（ステップS9）処理を終る。
【００４４】
赤外入力と、ネットワーク経由入力がともに入ってきた時にはステップS11でテレビ出力、ステップS12で液晶表示部への出力処理をして処理を終る。
【００４５】
メニューキー５１０押下により、図７ａの画面が出た後、リモコン５０の「４」キーを押下すると、前述と同様な図８の処理フローで図７ｂの画面に進み、設定項目の選択画面に進む。リモコン５０の「１」キーを押下すると、本体ID入力画面に進み（図７ｃ）、此処でリモコン５０で「０」キー、「８」キーの後、「決定」キー５０５を押下する。これにより、本体の処理フローとしてステップS1、ステップS２、ステップS３、ステップS４へと進み、メインコントローラ１３のホストID記憶レジスタ（図示せず）にデータ「０８」が記憶され、本体のID設定が終る。
【００４６】
又、図７ｂの画面の時、「２」キーを押下すれば図７ｅの画面へ進み、データ記録装置１０を制御できるリモコンの特定させる為のID入力画面となるので、リモコン５０で「０」キー、「１」キー、決定キー５０５押下でリモコンのIDが前述と同様にメインコントローラ１３のリモコンID記憶レジスタ(図示せず)に「０１」が記憶される。
【００４７】
尚、ステップS２でホストＩＤ番号が９９でない時、ステップS５でメインコントローラ１３のホストID記憶レジスタ(図示せず)に記憶されているホスト番号と一致するか判別されステップS6でリモコンID番号と一致しているか判別される、それぞれが一致していればステップS4でデータ部５３５のコマンドの処理を行う。ステップS5で一致していなければ、ステップS13で赤外信号から来たコマンドか判別されYesであれば、データ記録装置１０経由で他のネットワーク接続されている電子機器にリモコン信号を送りたい時のため、ステップS14で、ホストID番号、リモコンID番号、コマンドデータにヘッダーをつけて、ネットワークI/F１１より送出する。ネットワーク経由で来たコマンドデータであれば、Noに抜け、転送せずに何も処理せず終る。
【００４８】
ステップS5で一致（Yes）してもステップS6で一致していなければ何も処理せず終る（ステップS10）。
【００４９】
このような仕組みにより、互いに設定した同じホストID、リモコンIDを持つリモコン５０とデータ記録装置１０だけがリモコン操作で、動作制御出来るようになる。
【００５０】
図９−１及び図９−２はテレビ画面を見ながら、テレビ６０のIDを設定する操作と、データ記録装置１０をテレビ６０のリモコン受光部６９を介して、ネットワーク経由でリモコン操作する説明の図で、図１０のテレビ６０の処理フロー図とともに動作説明する。
【００５１】
図１０はテレビ６０の動作処理フローを説明する図で、例えばリモコン５０のメニューボタン５１０をテレビ６０に向けて押下すると、リモコン受光部６９で受光され(ステップS30)、信号はメインコントローラ６８でホスト番号５３２が９９か判別される。Yesであれば、ステップS32でカスタムコードが一致するか判別されYseであればデータ５３５のテレビ操作コマンドの処理をして、表示部６５にテレビ操作コマンドに対応したメニュー表示を出したりして(ステップS33)、処理を終る。ステップS32でNoであれば何もせず終る（ステップS35）。
【００５２】
一方、ホストID番号が９９でない時、ステップS34でホストID番号が、テレビ６０のメインコントローラのホストIDレジスタ(図示せず）に記憶されている番号と一致するか判別され、一致していればステップS33のテレビ操作コマンドの処理をする。一致していなければ、ステップS36でこの信号データは赤外信号で来た物か判別されYesであればネットワーク接続された他の電子機器へテレビ６０経由でリモコン信号を送りたい時のためステップS37でホストID番号、リモコンID番号、コマンドデータにヘッダーをつけて、ネットワークI/F６１より送出する。Noであれば何も処理せずに終了する。
ステップS34のあと、リモコンID番号の一致確認をしないのは複数のリモコンでテレビ操作が出来るようにする為で、リモコンを限定するのであれば、リモコンID番号の一致確認ステップを入れることは構わない。
【００５３】
又、テレビ６０のID番号の登録作業は、データ記録装置１０と同様な手順で良く、リモコン５０からの操作指示コマンドはステップS30,ステップS31,ステップS33、ステップS35の流れで、リモコンの本体設定キー５０２のキー操作の後、メニューキー５１０の押下により図９−１ａが表示される、続いてリモコン５０の「４」キー押下により本体の設定画面に移り（図９−２ｂ）、リモコン５０の「１」キー押下により本体IDの設定画面に移る。
【００５４】
此処で、テレビ６０のID番号として「０６」（任意の数値で良い）を登録する為、「０」キー、「６」キー、決定キー５０５を押下することにより、メインコントローラ６８のホストIDレジスタ(図示せず)に「０６」が記憶される。
【００５５】
このように動作するテレビ60において、リモコン５０のメニューボタン５１０をテレビ６０に向けて押下すると、テレビ６０は赤外信号をリモコン受光部６９で受け（ステップS30）、ステップS31でリモコンのホストID番号を調べる。リモコンからは先述のようにホスト番号「０８」、リモコンID番号「０１」で送られてくるのでNoに抜け、続いてステップS34でテレビのID番号と比較する。テレビ６０のID番号は「０６」の為、不一致となり、赤外光の信号か判別され(ステップS36)Yesに抜け、ステップS37でホストID番号、リモコンID番号、コマンドデータにヘッダーをつけて、ネットワークI/F６１より送出する。
【００５６】
このネットワークからの信号はデータ記録装置１０に受信され、図８のフロー処理で、ホスト番号「０８」、リモコンID番号「０１」のため、ステップS1、ステップS2、ステップS5へと進み、ホストID番号、リモコンID番号が一致するのでステップS4でメニューコマンドに対応した処理がなされステップS7でネットワーク（LAN）からの信号と判別されステップS9でテレビ表示用にビデオ信号が出力されビデオケーブル７１を介しテレビ６０のビデオ入力端子(図示せず)へ入力され、映像信号は表示部６５に図９−２ｅのメニュー画面として表示される。
【００５７】
以下同様に、リモコン５０のキー操作はテレビのリモコン受光部を介しデータ記録装置１０に伝えられ、テレビ画面に表示される。例えば、メモリカード４０のデータの保存を指示する為、リモコン５０の「１」キー操作により図９−２ｆの画面に進み、「１」キー、「決定」キー５０５押下でメモリカードを選択し、保存先をリムーバブルハードディスク（iVDR）を指定する為、「６」キー、「決定」キー５０５を押下して、メモリカード４０のデータをリムーバブルハードディスク（iVDR）に保存する作業が完了する(図９−２ｇ)。
【００５８】
又、データの再生では図９−２ｅの状態から「２」キー押下でデータの再生画面になり(図９−２ｈ)、「４」キー押下でリムーバブルハードディスク（iVDR）の記録データの例えばジャンル分けされた再生画面になる(図９−２ｉ)。続いて「１」キー押下により、旅行ジャンルの各データが例えばサムネイル表示され(図９−２ｊ)、所望のサムネイル番号の数値キー(例えば「５」キー)を押下する事により尾瀬に旅行に行った時の個々の写真データ等が閲覧できるように操作できる。
【００５９】
＜第２の実施形態＞
図１２は本発明の第２の実施形態のネットワーク構成を示した図で、データ記録装置１０のテレビへの出力をビデオ信号でテレビと繋ぐのではなく、ネットワーク経由で送るよう図っていて、第１の実施形態と同じ物は同じ番号を付して説明する。
【００６０】
テレビ表示用の画像データがメインコントローラ１３内部のビデオRAM(図示せず)に作られた後、MPEG２エンコーダ２０に送られ、ネットワークI/F１１を介してテレビへと送出される。テレビ側ではネットワークI/F６１から取り込まれたストリームデータはMPEG2デコーダー７１でデコードされ入力切替手段６４をへて映像・音声信号処理部を経て表示部６５に表示される。
【００６１】
図１３はデータ記録装置１０のリモコン信号を受けて動作処理する処理フロー図で、図８の処理フロー図の処理ステップS9で行われているテレビ信号を送出する代わりにステップS20でテレビ画面表示用データをMPEG2のデータにエンコード処理してからヘッダー情報の送信先をテレビにしてネットワーク（LAN）に送出処理をしている。
【００６２】
同様に、図８のステップS11のテレビ信号を送出する代わりにテレビ画面表示用データをMPEG2のデータにエンコード処理してからヘッダー情報の送信先をテレビにしてネットワーク（LAN)に送出処理をステップS21でしているだけで他の処理は同じ為、詳細説明は省略する。
【００６３】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００６４】
この場合、記憶媒体から読み出されたプログラムコード自体が前述した実施形態の機能を実現することになり、プログラムコード自体及びそのプログラムコードを記憶した記憶媒体は本発明を構成することになる。
【００６５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６６】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００６７】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００６８】
【図１】本発明の一実施形態におけるネットワーク接続された機器の構成を説明するためのブロック図である。
【図２】リモコンの正面図である。
【図３】リモコンの通信データコード構成を示す図である。
【図４】リモコンのキー操作による表示例を説明するための図である。
【図５】リモコンの別のキー操作による表示例を説明するための図である。
【図６】データ記録装置の正面図である。
【図７】データ記録装置の表示部の表示例を説明するための図である。
【図８】データ記録装置の処理フローを説明するための図である。
【図９−１】データ記録装置の表示出力をテレビ画面に表示させた例を示す図である。
【図９−２】データ記録装置の表示出力をテレビ画面に表示させた例を示す図である。
【図１０】テレビがリモコン信号を処理するフローを示す図である。
【図１１】データ記録装置の表示機の表示例を説明するための図である。
【図１２】ネットワーク接続された機器の他の構成を説明するブロック図である。
【図１３】データ記録装置の他の処理フローを説明するための図である。
【符号の説明】
【００６９】
１０  データ記録装置
１４  データ記録装置の表示部
１６−２  リムーバブル記憶装置
４０  メモリカード
５０  リモコン
６０  テレビ
６５  テレビの表示部
９０  LANケーブル
【図１】
2006108914.tif 000003
【図２】
2006108914.tif 000004
【図３】
2006108914.tif 000005
【図４】
2006108914.tif 000006
【図５】
2006108914.tif 000007
【図６】
2006108914.tif 000008
【図７】
2006108914.tif 000009
【図８】
2006108914.tif 000010
【図９−１】
2006108914.tif 000011
【図９−２】
2006108914.tif 000012
【図１０】
2006108914.tif 000013
【図１１】
2006108914.tif 000014
【図１２】
2006108914.tif 000015
【図１３】
2006108914.tif 000016